(57)【要約】【課題】  膜構造物において安全な機能と、安定した空気圧を構成した防災寝具を提供する。【解決手段】  複数からなるリング部材と該リング部材間を連結する繋部材とを外周面と内周面に膜部材を形成し、これらの部材内にそれぞれ空気圧を掛けてあることを特徴とする。【選択図】  図１
2006043395.tif 000002
【特許請求の範囲】
【請求項１】
複数からなるリング部材と該リング部材間を連結する繋部材とを外周面と内周面に膜部材を形成し、これらの部材内にそれぞれ空気圧を掛けてあることを特徴とする防災寝具。
【発明の詳細な説明】
【技術分野】
【０００１】  本発明は地震や台風による建物の倒壊などの災害から就寝者を防護する筒状に構成された空気膜構造物の防災寝具に関するものである。
【背景技術】
【０００２】  建築物は災害から人命を守る役割を果たしているが、大地震発生時に建物内では逆に被害の原因になっている。既存の建築物には現行基準法以前の施工及び耐用年限中でも木造の腐朽、耐力壁不足などの安全性が確保されていない建築物が存在している。このため大地震発生時に建物の倒壊などの荷重により多くの死傷者が発生している。この対策として、柱や壁を強化して耐震性能を高め建物の崩壊をさせない耐震構造、または、建物への地震動の入力を積層ゴムなどの免震層で低減する免震構造などの技術が開発されている。しかし、これらの耐震機能を高めるためには大きな費用を要することなどにより現状は低い普及に留まっている。ここに、大地震または台風の発生時に於ける建物の倒壊及び家具の転倒などの災害に対し人命の安全に係る防災構造物の備えが重要となっている。なお、本発明に関連する従来の技術として下記特許文献がある。
特許文献１によれば、保護部材エアーバッグを格納本体より、気体を供給する事で突出させ、人体の頭から足先までスムーズに出るよう構成し、かつ、保護部材を常時格納状態に維持する地震センサーを格納本体に付設または手動で作動するスイッチを接続する事で構成し、前記、地震センサーが地震の振動、又は手動スイッチにより、前記、保護部材の格納状態を解除し、保護部材がアーチ状シェルターで、人体を覆うように構成したことが提案されている。
また、特許文献２によれば、地震が発生した場合にエヤーバックが大きく膨らんで就寝者をカバーする為の保護装置であって、上記エヤーバックにはタンク等のエヤー供給装置を備え、一方、適当な場所に設置した地震計からの信号を受けてエヤー供給装置からエヤーが流れるように作動する電磁弁を設け、更に該エヤーバックにはエヤーの充填に伴って膨らむことで起立するように取り付けしたフレームを設けたことが提案されている。なお、本提案に関連する従来の技術には上記以外に、特開平８−２２９１５号公報もある。
【特許文献１】  実用新案登録第３０８６１９２号公報
【特許文献２】  特開平９−２３４１３６号公報
【発明の開示】
【発明が解決しようとする課題】
【０００３】  これらの従来技術には次のような問題点があった。前記で述べた特許文献１では、保護部材がアーチ状シェルターで、人体を覆うことが提案されている。これは、エアーバッグに空気を注入し空気圧を掛けてアーチ状シェルターを形成する方法であり、このエアーバッグは膜構造状であって膜体を形成する支持材が構成されていない。膜構造物を半円状のエアマット状に形成するには膜構造の外膜と内膜に膨らみを抑える部材として、例えば通気性をもった隔膜を張り渡すことにより所定の膨張構造体となる。この膨張構造物は空気圧で膨張する基本形として球形に膨らむ性質があり、適切な耐荷能力を得る空気圧を掛けると所定の膜体を形成せずエアーバッグが円筒形に膨らみ目的に添わない形状となり、また、保護部材エアーバッグを格納本体より、気体を供給する事で突出させ、人体の頭から足先までスムーズに出る方法であり、人体を覆うエアーバッグと防災機能の整っていない設置部で構成され、防災用具の設置周辺が損壊のときエアーバッグ用具の変動などにより身体と一体性を損ない防災適応に欠けるという問題があった。【０００４】  さらに、地震センサーが地震の振動、又は手動スイッチにより、前記、保護部材の格納状態を解除することが提案されている。これは、地震発生時に地震の振動を感知又は手動スイッチにより作動させる方法であり、地震が直下型や震源が近い大地震のときは建物などに瞬時の破壊現象として作用し、防災用具の完備と建物の倒壊との緊迫度に対して安全機能が確保されていないことであり、また、電動源の電気は地震動の衝撃による電気設備の損壊に伴う停電が発生し、その停電時の予備電源の備えがなく空気注入の不足状態で落下物などの大荷重を防ぐことができないという問題もあった。【０００５】  また、前記特許文献２では、地震が発生した場合にエヤーバックが大きく膨らんで就寝者をカバーすることが提案されている。これは、エヤーバックに空気を注入し空気圧を掛けてエヤーバックを形成する方法であり、このエヤーバックは扁平状の膜構造であって膜体を形成する支持材が構成されていない。膨張構造物をエアマット状に加工するには膜構造物の上膜と下膜に膨らみを抑える部材として、例えば、通気性をもった隔膜を張り渡すことにより所定の膨張構造体となる。この膨張構造物は空気圧で膨張する基本形として球形に膨らむ性質があり、適切な耐荷能力を得る空気圧を掛けると所定の膜体を形成せず、上膜と下膜が円筒状に膨らみ目的に添わない形状となり、また、該エヤーバックにはエヤーの充填に伴って膨らむことで起立するように取り付けしたフレームを設ける方法であり、体を覆うエヤーバックと防災機能の整っていない設置部で構成され、保護装置の設置周辺が損壊のときエヤーバック装置の変動などにより身体と一体性を損ない防災適応に欠けるという問題があった。【０００６】  さらに、適当な場所に設置した地震計からの信号を受けてエヤー供給装置からエヤーが流れるように作動する電磁弁を設けることが提案されている。これは、地震発生時に地震計からの信号で作動する方法であり、地震が直下型や震源が近い大地震のときは建物などに瞬時の破壊現象として作用し、保護装置の完備と建物の倒壊との緊迫度に対���て安全機能が確保されていないことであり、また、電動源の電気は地震動の衝撃による電気設備の損壊に伴う停電が発生し、その停電時の予備電源の備えがなく空気注入の不足状態で落下物などの大荷重を防ぐことができないという問題もあった。【０００７】  そこで、この発明においては上記従来技術の問題点を解決し、膜構造物において安全な機能と、安定した空気圧を構成した防災寝具を提供することにある。
【課題を解決するための手段】
【０００８】  上記の課題を解決するための本発明は、複数からなるリング部材と該リング部材間を連結する繋部材とを外周面と内周面に膜部材を形成し、これらの部材内にそれぞれ空気圧を掛けてあることを特徴とする防災寝具である。
【発明の効果】
【０００９】  本発明は上記の構成からなり次のような効果が期待できる。
１、筒状にした膜構造物は全方向からの衝撃力を防ぐことができる。
２、リング部材と繋部材は曲げ強度部材を構成し荷重に対して膜構造体を支えている。
３、区分された膜構造体は荷重に対して抵抗力を高め破損に対して空気圧の減少を抑え耐    圧状態を維持することができる。
４、事前に空気圧を掛けた膜構造部材は常に安定した防災機能を保持している。
５、膜構造物はより少ない材料と空気圧でつくられ経済的である。
６、地震動に対し就寝者は膜構造体がクッション状となり安全と安眠が得られる。
【発明を実施するための最良の形態】
【００１０】  本発明の実施形態を図１から図３により説明する。空気膜構造物の本防災寝具１に空気圧を掛けた状態であり、外膜２と内膜３の間に複数のリング部材４と直交し連結するエアチューブ状の繋部材５を設け、このリング部材４及び繋部材５は外膜２と内膜３の接する内面に接着し、このリング部材４と繋部材５の直径の大きさが膜部材２、３からなる膜体となり複合体の膨張膜構造物を形成している。外膜２及び内膜３とリング部材４及び繋部材５の材質は高強度と高弾性率の優れたパラ系アラミド繊維またはポリアリレート繊維などに四フッ化エチレン樹脂またはポリ塩化ビニルなどを塗布した気密膜を用いる。なお、本防災寝具１の内径は例えば８０ｃｍから１００ｃｍ、長さは例えば１９０ｃｍから２１０ｃｍ、リング部材４及び繋部材５の内径は例えば１１ｃｍから１３ｃｍにそれぞれ形成されているが限定されることなく他の大きさでもよい。また、リング部材４及び繋部材５の各連結部内に形状安定の補強材としてリング部材４の内面に外膜２と内膜３方向に通気性をもたせた張り渡し材を装着することができる。【００１１】  次に、空気給排口は膜部材２、３からなる膜体の給排口６と、リング部材４及び繋部材５の給排口７を設け、これらに接続する空気圧縮機８を手動または遠隔操作で作動し、止め弁９を介し、別系統の蓄圧タンク１０にそれぞれ圧力スイッチを内臓し設定値以下になると自動的にスイッチが入り圧縮空気を補給し、膜部材２、３からなる膜体とリング部材４及び繋部材５の空気圧を常に一定の範囲に保つことができる。例えば、外膜２の一部に衝撃による破損が生じ、空気が流出しても他の区分内には同時に同程度の空気の補給がされ、所定の耐圧状態は維持されている。そして、膜構造体は膜部材２、３からなる膜体の厚さと、リング部材４及び繋部材５の大きさ、並びに、各部材の空気圧の大きさが耐荷能力となり、この耐荷能力が所定の荷重より大きくなるように構成されている。そして、空気注入機器の空気圧縮機８と止め弁９及び蓄圧タンク１０は地震外力及び荷重から保護をするために金属材などによる防護カバー１１を備える。また、停電時の予備電源はバッテリーを備え切り替え器により接続されている。空気を排気するときは空気圧縮機８を作動させ弁体が作用し大気中へ排気される。寝具１２はマットレスのほか気温に適した好みのふとんを選択し備える。【００１２】  また、膜部材２、３からなる膜体の空気注入は給排口６から送られ、内膜３とリング部材４及び繋部材５の間に通気用の接続管１３を設け、各ます目空間に順次空気が流れる。この接続管１３の位置はリング部材４に直交し間隔を置いて並列する繋部材５との間に設け、隣接のます目区分への接続管１３は端部のリング部材４に接する繋部材５に設け、このリング部材４の接続管１３と、繋部材５の接続管１３は他列ます目内に同様の配置をし全体の接続管１３を備える。また、防災寝具１の利用は所望の居室内の畳または絨毯などを敷いた床部に設置し、その設置場所は住宅及び住宅以外の建築物内、またはその他どこでもよい。電源の設備がないときはバッテリーまたはガソリンエンジンなどを利用する。空気の注入は就寝時、または常時空気圧を掛けた状態で就寝用として備え、地震や台風が発生したときはその状態で防災用の構造物となり平時と災害時両用の寝具である。そして、この防災寝具を収納するときは空気を抜き折り畳んで一般の寝具と同様に押し入れなどを利用することにより室内は有効に利用できる。【００１３】  なお、前記の実施形態での説明では、筒状の膜部材２、３からなる膜体の支持材として格子状のリング部材４及び繋部材５を接着し形成されている。このます目状に区分された該膜体は荷重に対して抵抗力を高め、破損したとき空気の補給が効率的であることなど防災寝具１の耐圧状態を維持する効果がある。そして、外膜２と内膜３の間に接着される支持材は該リング部材４及び該繋部材５の代りに、例えば外膜２と内膜３の間に一部に通気性をもたせた複数の隔膜材を張り渡して区分された膨張膜構造体を形成してもよい。また、通気孔のある複数の隔膜により区分された膜構造物と、その内側に格子状もしくは螺旋状に配置したエアチューブ状の膜構造物を二層状に設け、両部材の接する部分で接着し、二重に構成した膨張膜構造物にすることもできる。さらに、防災寝具１においてエアマット状の膜構造物とエアチューブ状の膜構造物による複合体の構成に限らず、この複合体の形状や機能を調整してそれぞれの単一体で膜構造物を構築してもよい。そして、膨張膜体は圧縮性のある気体の空気でつくられているが他の圧縮ガス、例えば、不活性ガスを使用することも可能である。さらに、防災寝具１内の温度調節は内部用として冷房用の氷状の保冷用具、及び暖房用の電気暖房の敷物などを備え、そして、外部用として冷房用の冷房機または冷風機及び暖房用の電気ストーブなどを適宜選択し備えることができる。そして、防災寝具１の前部と後部の開口部に虫除け用として網目状の布地、または防音用及び防寒用などの布地状の張付け材を例えばファスナーで装着してもよい。
【図面の簡単な説明】
【００１４】
【図１】  本発明の防災寝具の外膜の一部を切欠いた斜視図である。
【図２】  膜部材とリング部材及び繋部材に空気の注入状態を示した斜視図である。
【図３】  図１のＡ−Ａ線を拡大した一部断面図である。
【符号の説明】
【００１５】１    防災寝具
２    外膜
３    内膜
４    リング部材
５    繋部材
６    膜構造給排口
７    リング部材・繋部材給排口
８    空気圧縮機
９    止め弁
１０  蓄圧タンク
１１  保護カバー
１２  寝具
１３  接続管
【図１】
2006043395.tif 000003
【図２】
2006043395.tif 000004
【図３】
2006043395.tif 000005